【手続補正書】
【提出日】平成17年8月2日(2005.8.2)
【手続補正１】
【補正対象書類名】明細書
【補正対象項目名】請求項１
【補正方法】変更
【補正の内容】
【請求項１】
それぞれが第１主電極、第２主電極、および、制御電極を有し、それぞれの第１主電極どうしが接続され、導電型式が同一でサイズ比がｍ：ｎ（ｍ，ｎ＝正の実数）である第１および第２トランジスタと、
前記第１トランジスタの前記第２主電極に接続された第１電源線と、
第１主電極が前記第１および第２トランジスタの第１主電極に接続され、制御電極が前記第２トランジスタの制御電極に接続され、前記第２トランジスタと導電型式が同一で当該第２トランジスタに対するサイズ比が１／ｎ倍である第３トランジスタと、
前記第３トランジスタの第２主電極と前記第１電源線とに接続され、前記第３トランジスタの主電流のｐ倍（ｐ＝正の実数）の電流を出力する第１カレントミラー回路と、
第２電源線と、
前記第１ないし第３トランジスタの前記第１主電極と前記第１カレントミラー回路と前記第２電源線とに接続され、前記第１カレントミラー回路が出力する前記電流の（ｍ＋ｎ＋１）／ｐ倍の電流を前記第１ないし第３トランジスタの前記第１主電極へ供給する第２カレントミラー回路と、
を備えるバッファ回路。
【手続補正２】
【補正対象書類名】明細書
【補正対象項目名】請求項３
【補正方法】変更
【補正の内容】
【請求項３】
前記第１カレントミラー回路が、
第１主電極が前記第１電源線に接続され、第２主電極と制御電極とが前記第３トランジスタの前記第２主電極に接続された第６トランジスタと、
第１主電極が前記第１電源線に接続され、第２主電極が前記第２カレントミラー回路に接続され、制御電極が前記第６トランジスタの前記制御電極および第２主電極に接続され、前記第６トランジスタと導電型式が同一で、当該第６トランジスタに対するサイズ比がｐ倍の第７トランジスタと、
を備える、請求項１または請求項２に記載のバッファ回路。
【手続補正３】
【補正対象書類名】明細書
【補正対象項目名】請求項１０
【補正方法】変更
【補正の内容】
【請求項１０】
第１主電極が前記第１ないし第３トランジスタの前記第１主電極に接続され、第２主電極が制御電極に接続され、前記第１トランジスタと導電型式が同一で、当該第１トランジスタに対するサイズ比が１倍である第１４トランジスタと、
第１主電極が前記第１４トランジスタの前記第２主電に接続され、第２主電極が前記第１電源線に接続され、前記第１２トランジスタと導電型式が同一で、当該第１２トランジスタに対するサイズ比が１倍である第１５トランジスタと、をさらに備える、請求項９に記載のバッファ回路。
【手続補正４】
【補正対象書類名】明細書
【補正対象項目名】００２９
【補正方法】変更
【補正の内容】
【００２９】
このバッファ回路では、入力信号として受信された電圧信号は、入力信号線ＩＮを通じてトランジスタＱ１のベース電極へ入力され、トランジスタＱ２のコレクタ電極とベース電極との接続部に接続された出力信号線ＯＵＴを通じて、出力信号としての電圧信号が出力される。トランジスタＱ１のコレクタ電極は接地電位電源線ＧＮＤへ接続されており、エミッタ電極はトランジスタＱ２およびＱ３のエミッタ電極へ共通に接続されている。トランジスタＱ２とＱ３とは、それらのエミッタ電極どうし、および、ベース電極どうしが、互いに接続されることによって、カレントミラー回路を構成している。
【手続補正５】
【補正対象書類名】明細書
【補正対象項目名】００３３
【補正方法】変更
【補正の内容】
【００３３】
各トランジスタは、いくつかのグループの間で、トランジスタサイズの比率（「サイズ比」と仮称する）が一定の比率に調整されている。すなわち、トランジスタＱ１，Ｑ２，Ｑ３のサイズ比は、ｍ：ｎ：１に設定され、トランジスタＱ６，Ｑ７のサイズ比は、１：ｐに設定され、トランジスタＱ４，Ｑ５のサイズ比は、｛（ｍ＋ｎ＋１）／ｐ｝：１に設定されている。変数ｍ，ｎ，ｐは、いずれも、正の実数である。
【手続補正６】
【補正対象書類名】明細書
【補正対象項目名】００５１
【補正方法】変更
【補正の内容】
【００５１】
起動用回路ＳＣに流れる電流、すなわち、トランジスタＱ４のベース電極からトランジスタＱ４０のベース電極へ流れる電流は、トランジスタＱ４を導通させるのに十分な範囲で、可能な限り小さく抑えることが望ましい。そうすることによって、トランジスタＱ４のベース電流が、起動用回路ＳＣへ分流することによって、数６および数７に示した二つエミッタ・ベース間電圧の間に、微小ながら、ずれが生じることを防ぐことができる。
【手続補正７】
【補正対象書類名】明細書
【補正対象項目名】００５２
【補正方法】変更
【補正の内容】
【００５２】
（2. 実施の形態８）
図３は、実施の形態２によるバッファ回路の構成を示す回路図である。なお、以下の図において、図１および図２に示した実施の形態１の装置と同一部分または相当部分（同一の機能をもつ部分）については、同一符号を付してその詳細な説明を略する。図３には、バッファ回路の出力信号線ＯＵＴに接続される外部の負荷ＬＤも、同時に描かれている。このバッファ回路は、バイポーラ型でｎｐｎ型のトランジスタＱ７１，Ｑ７２，Ｑ７３，Ｑ７４，Ｑ７５、バイポーラ型でｐｎｐ型のトランジスタＱ７６，Ｑ７７、および、起動用回路ＳＣを備えている。トランジスタＱ７１，Ｑ７２，Ｑ７３のサイズ比は、ｍ：ｎ：１に設定され、トランジスタＱ７６，Ｑ７７のサイズ比は、１：ｐに設定され、トランジスタＱ７４，Ｑ７５のサイズ比は、｛（ｍ＋ｎ＋１）／ｐ｝：１に設定されている。
【手続補正８】
【補正対象書類名】明細書
【補正対象項目名】００６５
【補正方法】変更
【補正の内容】
【００６５】
（5. 実施の形態１０）
図７は、実施の形態５によるバッファ回路の構成を示す回路図である。このバッファ回路は、あたかも、図１に示した実施の形態１のバッファ回路（トランジスタＱ１〜Ｑ７および起動用回路ＳＣ１）と、図５に示した実施の形態３のバッファ回路（トランジスタＱ２１〜Ｑ３０および起動用回路ＳＣ２）とが、入力信号線ＩＮ、出力信号線ＯＵＴ、高電位電源線ＶＣＣ、および、接地電位電源線ＧＮＤを互いに共有するように、並列に接続されて成る回路構成を有する。トランジスタＱ２１〜Ｑ３０は、図５のトランジスタＱ１〜Ｑ１０に相当する。起動用回路ＳＣ１は、図１の起動用回路ＳＣに相当し、起動用回路ＳＣ２は、図５の起動用回路ＳＣに相当する。起動用回路ＳＣ１とＳＣ２は、同一に構成されてもよい。
【手続補正９】
【補正対象書類名】明細書
【補正対象項目名】００７３
【補正方法】変更
【補正の内容】
【００７３】
（7. 実施の形態１２）
図９は、実施の形態７によるバッファ回路の構成を示す回路図である。このバッファ回路は、起動用回路ＳＣが、トランジスタＱ４へ供給するベース電流の大きさを一定値以下へ制限するように構成されている点において、実施の形態１のバッファ回路とは、特徴的に異なっている。図９の起動用回路ＳＣは、バイポーラ型でｐｎｐ型のトランジスタＱ３２、バイポーラ型でｎｐｎ型のトランジスタＱ３３，Ｑ３４、および、抵抗素子Ｒ２，Ｒ３を備えている。
【手続補正１０】
【補正対象書類名】明細書
【補正対象項目名】００７４
【補正方法】変更
【補正の内容】
【００７４】
トランジスタＱ３２のベース電極は、トランジスタＱ４およびＱ５のベース電極に接続され、エミッタ電極は高電位電源線ＶＣＣに接続され、コレクタ電極はトランジスタＱ３３のエミッタ電極とともに、抵抗素子Ｒ３の一端に接続されている。抵抗素子Ｒ３の他端は接地電位電源線ＧＮＤに接続されている。トランジスタＱ３３のコレクタ電極は、トランジスタＱ４，Ｑ５，Ｑ３２のベース電極に共通に接続されており、ベース電極はトランジスタＱ３４のベース電極とコレクタ電極の接続部に接続されている。トランジスタＱ３４のエミッタ電極は接地電位電源線ＧＮＤに接続されており、コレクタ電極は抵抗素子Ｒ２を介して高電位電源線ＶＣＣに接続されている。
【手続補正１１】
【補正対象書類名】明細書
【補正対象項目名】００７６
【補正方法】変更
【補正の内容】
【００７６】
ただし、トランジスタＱ３３のエミッタ電極には抵抗素子Ｒ３が接続されているため、上記のようにコレクタ電流に、例えば１：１の比率が保たれるのは、抵抗素子Ｒ２での電圧降下が十分に小さいときであり、抵抗素子Ｒ２に電流が流れることにより発生する電圧降下の分だけ、トランジスタＱ３４のコレクタ電流に対するトランジスタＱ３３のコレクタ電流の比率は、上記の所定の比率よりも小さくなる。
【手続補正１２】
【補正対象書類名】明細書
【補正対象項目名】００７７
【補正方法】変更
【補正の内容】
【００７７】
トランジスタＱ３３のコレクタ電流によって、トランジスタＱ４のベース電極から電流が吸い出される。この電流が起動電流として機能するので、バッファ回路は、正常動作を開始することができる。トランジスタＱ４のコレクタ電流が増加すると、トランジスタＱ４のベース電極に接続されたトランジスタＱ３２のコレクタ電流は、カレントミラー回路の動作に由来して増加する。トランジスタＱ３２のコレクタ電流が増加すると、起動電流を決定する抵抗素子Ｒ３の電圧降下が増大し、トランジスタＱ３３のコレクタ電流が減少する。トランジスタＱ４のコレクタ電流が一定量以上になると、起動用電流はほとんど流れなくなる。その結果、バッファ回路が正常動作を維持するときには、起動用回路ＳＣのために誤差電圧が発生するという不都合が解消される。
【手続補正１３】
【補正対象書類名】明細書
【補正対象項目名】００８６
【補正方法】変更
【補正の内容】
【００８６】
MOSFETのゲート電極、ソース電極、および、ドレイン電極は、バイポーラトランジスタのベース電極、エミッタ電極、および、コレクタ電極に、それぞれ対応するように、各回路素子が接続されている。実施の形態１のバッファ回路に対応して、トランジスタＱ８１，Ｑ８２，Ｑ８３のサイズ比は、ｍ：ｎ：１に設定され、トランジスタＱ８６，Ｑ８７のサイズ比は、１：ｐに設定され、トランジスタＱ８４，Ｑ８５のサイズ比は、｛（ｍ＋ｎ＋１）／ｐ｝：１に設定されている。
【手続補正１４】
【補正対象書類名】明細書
【補正対象項目名】０１０３
【補正方法】変更
【補正の内容】
【０１０３】
第８の発明の回路では、第１０トランジスタの働きにより、第４トランジスタの第１主電極と制御電極との間の電位差に応じた電流が第２抵抗素子に流れる。第１１トランジスタの制御電極の電位が一定に保持されるので、第２抵抗素子の電圧降下が大きいほど、第１１トランジスタを流れる主電流は減少する。このため、バッファ回路が正常に動作するときには、起動用回路による第４トランジスタへの干渉が弱まるので、起動用回路による微小なオフセットの発生を緩和することができる。
【手続補正１５】
【補正対象書類名】図面
【補正対象項目名】図３
【補正方法】変更
【補正の内容】
【図３】
2001244758.tif 000001